(57)【要約】【課題】部品点数を削減すると共に外観を高めた電子機器を提供する。【解決手段】基板４には、押圧スイッチ２が搭載されている。この基板４は、ケース５内に収容されている。このケース５正面は、化粧パネル６により覆われている。ケース５の正面には、化粧パネル６の背面と接触して支持する浅凹部９３Ａと、化粧パネル６の下端部の背面と離間して対向するように浅凹部９３Ａよりも凹に設けられた深凹部９３Ｂと、が設けられている。これにより、この化粧パネル６を、下端部のみが押圧スイッチ２に接離する方向に可動に設け、化粧パネル６の一端部を動かして押圧スイッチ２を押すようにしている。【選択図】図２
2015201377.tif 000002
【特許請求の範囲】
【請求項１】
押圧スイッチが搭載された基板と、前記基板を収容するケースと、前記ケースの正面を覆う化粧板と、を備えた電子機器において、
前記化粧板を、一端部のみが前記押圧スイッチに接離する方向に可動に設け、前記化粧板の一端部を動かして前記押圧スイッチを押すようにした
ことを特徴とする電子機器。
【請求項２】
前記化粧板を、長尺の帯状に設け、長手方向の一端部のみが可動に設けられた
ことを特徴とする請求項１に記載の電子機器。
【請求項３】
前記基板には、複数の光源が搭載され、
前記化粧板の一端部の背面に、前記複数の光源からの光が混ざらないように仕切る仕切壁が突設された
ことを特徴とする請求項１又は２に記載の電子機器。
【請求項４】
前記ケースの正面には、前記化粧板の背面と接触して支持する支持部と、前記化粧板の一端部の背面と離間して対向するように前記支持部よりも凹に設けられた凹部と、が設けられている
ことを特徴とする請求項１〜３何れか１項に記載の電子機器。
【発明の詳細な説明】
【技術分野】
【０００１】
本発明は、電子機器に係り、特に、押しボタン式のスイッチが設けられた電子機器に関するものである。
【背景技術】
【０００２】
上述した従来の電子機器として、例えば、図７及び図８に示すような警報器が知られている。同図に示すように、警報器１００は、押圧スイッチ１０１や複数のＬＥＤ１０２などの電子部品が搭載された基板１０３と、基板１０３を収容するケース１０４と、ケース１０４の正面を覆う化粧板としての化粧パネル１０５と、ＬＥＤ１０２の正面に設けられた拡散レンズ１０６と、警報を停止させる際にユーザにより押されるボタンパネル１０７と、を備えている。
【０００３】
上記押圧スイッチ１０１や複数のＬＥＤ１０２は、基板１０３の正面側に搭載されている。上記ケース１０４は、基板１０３の背面側を覆う下ケース１０８と、基板１０３の正面側を覆う上ケース１０９と、を有している。上ケース１０９は、基板１０３に向かって突設された、ＬＥＤ１０２からの光が混ざらないように仕切る仕切壁１０９Ａと、この仕切壁１０９Ａから下方に向かって突設され、その端部が押圧スイッチ１０１に対して接離する方向に可動に設けた操作アーム１０９Ｂと、が設けられている。
【０００４】
化粧パネル１０５は、上ケース１０９との間に拡散レンズ１０６を挟んで保持している。ボタンパネル１０７は、上ケース１０９の正面を覆い、正面に露出するパネル本体１０７Ａと、化粧パネル１０５と上ケース１０９の操作アーム１０９Ｂとの間に挟まれた取付部１０７Ｂと、背面に向かって突設され、上ケース１０９と係止する係止アーム１０７Ｃと、が設けられている。
【０００５】
以上の構成によれば、ユーザがボタンパネル１０７を押すと、係止アーム１０７Ｃを支点として撓み、取付部１０７Ｂが操作アーム１０９Ｂを押す。これにより、操作アーム１０９Ｂの端部が押圧スイッチ１０１に近づく方向に撓み、押圧スイッチ１０１が押される。
【０００６】
しかしながら、上述した警報器では、化粧パネル１０５とボタンパネル１０７とが別々に設けられているため、部品点数も多く、外観イメージを損ねる、という問題があった。
【発明の概要】
【発明が解決しようとする課題】
【０００７】
そこで、本発明は、部品点数を削減すると共に外観を高めた電子機器を提供することを課題とする。
【課題を解決するための手段】
【０００８】
上記課題を解決するためになされた請求項１記載の発明は、押圧スイッチが搭載された基板と、前記基板を収容するケースと、前記ケースの正面を覆う化粧板と、を備えた電子機器において、前記化粧板を、一端部のみが前記押圧スイッチに接離する方向に可動に設け、前記化粧板の一端部を動かして前記押圧スイッチを押すようにしたことを特徴とする電子機器に存する。
【０００９】
請求項２記載の発明は、前記化粧板を、長尺の帯状に設け、長手方向の一端部のみが可動に設けられたことを特徴とする請求項１に記載の電子機器に存する。
【００１０】
請求項３記載の発明は、前記基板には、複数の光源が搭載され、前記化粧板の一端部の背面に、前記複数の光源からの光が混ざらないように仕切る仕切壁が突設されたことを特徴とする請求項１又は２に記載の電子機器に存する。
【００１１】
請求項４記載の発明は、前記ケースの正面には、前記化粧板の背面と接触して支持する支持部と、前記化粧板の一端部の背面と離間して対向するように前記支持部よりも凹に設けられた凹部と、が設けられていることを特徴とする請求項１〜３何れか１項に記載の電子機器に存する。
【発明の効果】
【００１２】
以上説明したように請求項１記載の発明によれば、化粧板を、一端部のみが可動に設けることにより、化粧板がボタンパネルの機能を兼ねるため、部品点数を削減すると共に外観を高めることができる。
【００１３】
請求項２記載の発明によれば、化粧板の一端部を可動にしやすく、しかも外観を高めることができる。
【００１４】
請求項３記載の発明によれば、仕切壁により化粧パネルの一端部の剛性を高めることができる。このため、例えば、化粧パネルの一端部において押圧スイッチから離れた場所を押したとしても、一端部の一部分のみが撓むことなく、一端部全体が押圧スイッチに近づくように動くので、確実に押圧スイッチを押すことができる。
【００１５】
請求項４記載の発明によれば、ケースの正面に支持部よりも凹に設けた凹部を設けるだけで簡単に化粧板の一端部を可動に設けることができる。
【図面の簡単な説明】
【００１６】
【図１】第１実施形態における本発明の電子機器としての警報器を示す正面図である。
【図２】図１のＩ−Ｉ線断面図である。
【図３】図１に示す上ケースの正面側斜視図である。
【図４】図１に示す化粧パネルの背面側斜視図である。
【図５】第２実施形態における本発明の電子機器としての警報器を示す正面図である。
【図６】図５のＩＩ−ＩＩ線断面図である。
【図７】従来の電子機器としての警報器の一例を示す正面図である。
【図８】図７のＩＩＩ−ＩＩＩ線断面図である。
【発明を実施するための形態】
【００１７】
（第１実施形態）
以下、第１実施形態における本発明の電子機器としての警報器について図１〜図４を参照して説明する。同図に示す警報器は、例えばガス漏れなどの異常を検出すると警報を発生するものであり、その背面が壁に取り付けられるタイプのものである。
【００１８】
図２などに示すように、警報器１は、押圧スイッチ２や複数の光源としてのＬＥＤ３などの電子部品が搭載された基板４と、基板４を収容する樹脂製のケース５と、ケース５の正面を覆う化粧板としての樹脂製の化粧パネル６と、ＬＥＤ３の正面に設けられた拡散レンズ７と、を備えている。
【００１９】
上記押圧スイッチ２や複数のＬＥＤ３は、基板４の正面側に搭載されている。本実施形態では、ＬＥＤ３は、左右方向に沿って３つ並べて設けられている。また、基板４には、ガス漏れなどの異常を検出するセンサ、異常を検出するとＬＥＤ３を点灯させたり、図示しないスピーカを鳴動させて、警報を発生させる制御回路（何れも図示せず）などが搭載されている。この制御回路は、警報発生中に、押圧スイッチ２が押されると、警報を停止する。
【００２０】
ケース５は、基板４の背面側を覆う下ケース８と、基板４の正面側を覆う上ケース９と、を有している。下ケース８は、基板４の背面と対向する略長方形状の底壁８１と、この底壁８１の周縁から正面に向かって立設する側壁８２と、から構成されている。上ケース９は、基板４の正面と対向する略長方形状の底壁９１と、この底壁９１の周縁から背面に向かって立設し、側壁８２の外側面に重ねられる側壁９２と、から構成されている。この下ケース８の側壁８２外側面及び上ケース９の側壁９２内側面にはそれぞれ、互いに係止する図示しない係止部が設けられている。
【００２１】
また、上ケース９の底壁９１正面側には、図３に示すように、後述する化粧パネル６を嵌め込むための凹部９３が設けられている。凹部９３は、上下方向が長尺の正面視長方形状に設けられている。この凹部９３の上方には、後述する化粧パネル６の厚みとほぼ同じ深さの支持部としての浅凹部９３Ａが形成され、凹部９３の下端部には、後述する化粧パネル６の厚みよりも深い凹部としての深凹部９３Ｂが形成されている。
【００２２】
この凹部９３に化粧パネル６を重ねると、図２などに示すように、化粧パネル６上方の背面は浅凹部９３Ａの底面に接触して支持されるが、化粧パネル６の下端部（＝一端部）の背面は深凹部９３Ｂの底面と離間して対向した状態となる。これにより、化粧パネル６は、その下端部のみが押圧スイッチ２に接離する方向に可動に設けられる。
【００２３】
上記浅凹部９３Ａには、図３に示すように、化粧パネル６を係止するための係止孔９４が複数設けられている。上記深凹部９３Ｂには、図２及び図３に示すように、ＬＥＤ３からの光を通すための透孔９５と、正面に向かって突設された仕切壁９６と、仕切壁９６の下方に設けられた貫通孔９７と、貫通孔９７内に設けられ、仕切壁９６から下方に向かって突設し、その端部が自由端となる操作アーム９８と、が設けられている。
【００２４】
透孔９５は、図２などに示すように、基板４上に搭載されたＬＥＤ３にそれぞれ対向して設けられている。仕切壁９６は、複数のＬＥＤ３からの光が混ざらないように、各透孔９５を囲むように設けられている。貫通孔９７は、操作アーム９８を設けるための孔である。操作アーム９８は、自由端となる端部が押圧スイッチ２に対して接離する方向に撓む。
【００２５】
化粧パネル６は、警報を停止する際にユーザに押されるボタンパネルの機能も持たせている。化粧パネル６は、図４などに示すように、長尺の帯状に設けられ、上ケース９に設けられた凹部９３に嵌め込まれる。化粧パネル６の深凹部９３Ｂに対向する下端部は、上述したように離間した状態であるため、押圧スイッチ２に対して接離する方向に可動となる。即ち、化粧パネル６は、浅凹部９３Ａと深凹部９３Ｂとの境界部分が曲がることにより、その境界部分を支点として下端部が可動する。本実施形態では、下端部が可動しやすくなるように化粧パネル６の支点となる部分が他の部分よりも薄く設けられている。
【００２６】
この化粧パネル６の浅凹部９３Ａに対向する部分には、図２及び図４に示すように、上ケース９に設けた係止孔９４に挿入されて係止する係止突起６１が複数設けられている。
【００２７】
化粧パネル６の下端部（＝可動となる部分）には、図２及び図４に示すように、ＬＥＤ３からの光を通すための透孔６２と、背面に向かって突設された仕切壁６３と、仕切壁６３よりも下方から背面に向かって突設し、上記操作アーム９８に当接する凸部６４と、が設けられている。
【００２８】
透孔６２は、基板４上に搭載されたＬＥＤ３や上ケース９に設けた透孔９５にそれぞれ対向して設けられている。仕切壁６３は、複数のＬＥＤ３からの光が混ざらないように、各透孔６２を囲むように設けられている。拡散レンズ７は、上記透孔６２を塞ぐように化粧パネル６の正面に取り付けられている。
【００２９】
以上の構成によれば、警報が鳴ったときにユーザが化粧パネル６の下端部を押すと、化粧パネル６の下端部が基板４上の押圧スイッチ２に近づく方向に可動する。これにより、化粧パネル６の凸部６４が上ケース９に設けた操作アーム９８を押して、操作アーム９８の一端が基板４上の押圧スイッチ２に近づく方向に撓んで押圧する。基板４上の図示しない制御回路が、この押圧スイッチ２の押圧を検知して警報を停止する。
【００３０】
上述した第１実施形態によれば、化粧パネル６の下端部のみを可動に設けることにより、化粧パネル６がボタンパネルの機能を兼ねるため、部品点数を削減すると共に外観を高めることができる。
【００３１】
また、上述した第１実施形態によれば、化粧パネル６が、長尺の帯状に設けられて、長手方向の一端部である下端部のみが可動に設けられている。これにより、化粧パネル６を可動にしやすく、しかも外観を高めることができる。
【００３２】
また、上述した第１実施形態によれば、化粧パネル６の可動に設けられた下端部の背面に、複数のＬＥＤ３からの光が混ざらないように仕切る仕切壁６３が突設されたている。この仕切壁６３により化粧パネル６の下端部の剛性を高めることができる。このため、例えば、化粧パネル６の下端部において押圧スイッチ２から離れた場所を押したとしても、下端部の一部分のみが撓むことなく、下端部全体が押圧スイッチ２に近づくように動くので、確実に押圧スイッチ２を押すことができる。
【００３３】
また、上述した第１実施形態によれば、上ケース９の正面には、化粧パネル６の背面と接触して支持する浅凹部９３Ａと、化粧パネル６の下端部の背面と離間して対向するように凹状に設けられた深凹部９３Ｂと、が設けられている。これにより、上ケース９の正面に浅凹部９３Ａよりも凹に設けた深凹部９３Ｂを設けるだけで簡単に化粧パネル６の下端部を可動に設けることができる。
【００３４】
（第２実施形態）
次に、第２実施形態における本発明の電子機器としての警報器について図５及び図６を参照して説明する。なお、図５及び図６において、上述した第１実施形態で既に説明した図１〜図４に示す警報器と同等の部分には同一符号を付してその詳細な説明を省略する。同図に示す警報器は、第１実施形態と同様に、ガス漏れなどの異常を検出すると警報を発生するものである。また、第２実施形態における警報器は、その背面が天井に取り付けられるタイプのものである。
【００３５】
図６などに示すように、警報器１は、押圧スイッチ２やＬＥＤ３などの電子部品が搭載された基板４と、基板４を収容する樹脂製のケース５と、ケース５の正面を覆う化粧板としての化粧パネル６と、ＬＥＤ３の正面に設けられた拡散レンズ７と、を備えられている。
【００３６】
ケース５も第１実施形態と同様に、基板４の背面側を覆う下ケース８と、基板４の正面側を覆う上ケース９と、を有している。第１実施形態と第２実施形態とで大きく異なる点は、第１実施形態においては下ケース８、上ケース９の底壁８１、９１が矩形状に設けられているのに対して、第２実施形態においては下ケース８、上ケース９の底壁８１、９１が円形状に設けられている点である。
【００３７】
また、上ケース９の底壁９１正面側には、第１実施形態と同様に、化粧パネル６を嵌め込むための凹部９３が設けられている。この凹部９３に、浅凹部９３Ａと、深凹部９３Ｂと、が形成され、深凹部９３Ｂと対向する化粧パネル６の長手方向の一端部が可動に設けられている点も第１実施形態と同様である。また、深凹部９３Ｂに設けた操作アーム９８と化粧パネル６の一端部から背面に向かって突設された凸部６４とが当接する点も第１実施形態と同様である。
【００３８】
第１実施形態と第２実施形態とで異なる点は、第１実施形態において、ＬＥＤ３は押圧スイッチ２の近くに化粧パネル６と対向する位置に設けられていたが、第２実施形態において、ＬＥＤ３は押圧スイッチ２から離れて設けられ、化粧パネル６と対向しない位置に設けられている。
【００３９】
これにより、第１実施形態においては、化粧パネル６に透孔６２や仕切壁６３が設けられ、化粧パネル６に拡散レンズ７が取り付けられていたが、第２実施形態においては、化粧パネル６に透孔６２や仕切壁６３は設けられておらず、上ケース９に拡散レンズ７が取り付けられている。このように化粧パネル６に仕切壁６３を設けることは必須ではなく、設けなくてもよい。
【００４０】
また、上述した第１及び第２実施形態によれば、化粧パネル６を長尺の帯状に設けていたが、これに限ったものではない。化粧パネル６の形状は第１及び第２実施形態に限定されるものではなく、一部が可動に設けられるような形状であればよい。
【００４１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４２】
１  警報器（電子機器）
２  押圧スイッチ
３  ＬＥＤ（光源）
４  基板
５  ケース
６  化粧パネル（化粧板）
６３  仕切壁
９３Ａ  浅凹部（支持部）
９３Ｂ  深凹部（凹部）
【図１】
2015201377.tif 000003
【図２】
2015201377.tif 000004
【図３】
2015201377.tif 000005
【図４】
2015201377.tif 000006
【図５】
2015201377.tif 000007
【図６】
2015201377.tif 000008
【図７】
2015201377.tif 000009
【図８】
2015201377.tif 000010